(57)【要約】【課題】レンズ部とＬＣＤパネルが一体で動くように構造を改善したフォルダ型画像撮影装置を提供する。【解決手段】本発明によるフォルダ型撮影装置は、保存媒体が装着される本体と、前記本体に第１軸を基準で回転自在に設置され、撮影された画像をディスプレーするディスプレーパネルと、前記第１軸を基準で回転できるように前記ディスプレーパネルと同軸的に設置され、第１及び第２カメラを選択できるように第２軸を基準で回転自在なカメラユニットとを含むことを特徴とする。【選択図】図１
2005045766.tif 000002
【特許請求の範囲】
【請求項１】
保存媒体が装着される本体と、
前記本体に第１軸を基準で回転自在に設置され、撮影された画像をディスプレーするディスプレーパネルと、
前記第１軸を基準にして回転できるように前記ディスプレーパネルと同軸的に設置され、第１及び第２カメラを選択できるように第２軸を基準で回転自在なカメラユニットとを含むことを特徴とするフォルダ型画像撮影装置。
【請求項２】
前記第１軸は、前記第２軸に対して直交することを特徴とする請求項１に記載のフォルダ型画像撮影装置。
【請求項３】
前記カメラユニットと前記ディスプレーパネルを着脱自在に結合させるロッキングユニットをさらに含むことを特徴とする請求項１に記載のフォルダ型画像撮影装置。
【請求項４】
前記カメラユニットは，前記ディスプレーパネルと独立的に前記第２軸に対して回転自在であることを特徴とする請求項１に記載のフォルダ型画像撮影装置。
【請求項５】
前記第１カメラは、前記カメラユニットの第１面に形成されて動画を撮影し、前記第２カメラは、前記カメラユニットの第２面に形成されて静止画を撮影することを特徴とする請求項１に記載のフォルダ型画像撮影装置。
【請求項６】
撮影装置に対して回転自在に形成され、第１軸に対して回転し、第１及び第２カメラの間でいずれか１つのカメラを選択するように第２軸に対してさらに回転自在であることを特徴とする複数の機能を持つ撮影装置。
【請求項７】
前記第１軸は、前記第２軸に直交することを特徴とする請求項６に記載の複数の機能を持つ撮影装置。
【請求項８】
前記第１カメラは、前記カメラユニットの第１面に形成されて動画を撮影し、前記第２カメラは、前記カメラユニットの第２面に形成されて静止画を撮影することを特徴とする請求項６に記載の複数の機能を持つ撮影装置。
【請求項９】
画像を撮影する間、撮影モードを変換させることができるフォルダ型撮影装置を提供する方法において、
画像撮影装置の本体の上部から第１軸に対して回転自在なカメラユニットとディスプレーユニットを形成する段階と、
前記第１軸に対して前記ディスプレーパネルと前記カメラユニットが結合された状態で共に回転できるようにするロッキングユニットを形成する段階と、
第１及び第２カメラの間でいずれか１つのカメラを選択するように第２軸に対して回転自在に前記カメラユニットを形成する段階とを含むことを特徴とするフォルダ型撮影装置の提供方法。
【請求項１０】
前記ロッキングユニットをアンロッキングし、前記ディスプレーパネルから所定距離で前記第１軸に対して前記カメラユニットを回転させる段階と、
希望する撮影モードに対応する第１または第２カメラが露出されるように前記カメラユニットを前記第２軸に対して回転させる段階とを含むことを特徴とする請求項９に記載のフォルダ型撮影装置の提供方法。
【請求項１１】
前記第１軸は、前記第２軸に対して直交することを特徴とする請求項１０に記載のフォルダ型撮影装置の提供方法。
【請求項１２】
前記第１カメラは、動画を撮影するように前記カメラユニットの第１面から露出され、前記第２カメラは、静止画を撮影するように前記カメラユニットの第２面から露出されることを特徴とする請求項１０に記載のフォルダ型撮影装置の提供方法。
【請求項１３】
フォルダ型撮影装置の撮影モード変更方法において、
前記撮影装置から所定距離で第１軸に対してカメラユニットを回転させる段階と、
希望する撮影モードに対応する第１または第２カメラが露出されるように第２軸に対して前記カメラユニットを回転させる段階とを含むことを特徴とするフォルダ型撮影装置の撮影モード変更方法。
【請求項１４】
前記第１カメラは、動画を撮影するように前記カメラユニットの第１面から露出され、前記第２カメラは、静止画を撮影するように前記カメラユニットの第２面から露出されることを特徴とする請求項１３に記載のフォルダ型撮影装置の撮影モード変更方法  。
【請求項１５】
前記第１軸は、前記第２軸に対して直交することを特徴とする  請求項１３に記載のフォルダ型撮影装置の撮影モード変更方法。
【発明の詳細な説明】
【技術分野】
【０００１】
本発明は、フォルダ型画像撮影装置に関し、より詳しくは、デジタルスチルカメラとデジタルカムコーダの機能を一体化したフォルダ型画像撮影装置に関する。
【背景技術】
【０００２】
一般的に、デジタルスチルカメラ（ＤＳＣ）は、レンズを通じて入射される映像をデジタル信号に変換してハードディスク又はメモリカードのような記録媒体に保存する。即ち、撮影された映像をフィルム等に記録せず前記記録媒体に保存してスキャナーなどを通じないで直接コンピュータにデジタルイメージを入力できる。
【０００３】
このようなデジタルスチルカメラはＰＣとの互換性が大きくて編集及び修正が簡便で、外部コンピュータと連結して撮影した映像が伝送できる。また、デジタルスチルカメラは、一般のカメラのような構造を有しているので携帯が簡便である。即ち、デジタルスチルカメラは、レンズ装置とメモリ装置と信号変調装置と表示装置等を具備する。
【０００４】
ところで、このようなデジタルスチルカメラは、映像を記録する記録媒体の容量などの理由で主に静止画を撮影することに使用する。即ち、一部の動画が撮影できる機能を有しているが、長時間の撮影が実質的に不可能である。特に、動画を撮影して再生する時、音響を共に記録して再生する装置がないので、実質的には動画を撮影して記憶及び再生するには不適切である。
【０００５】
このような点を充足させるため、テープのような記録媒体に撮影される被写体の画像及び音響等を記録及び再生する記録／再生装置、例えば、カムコーダが広く普及している。
【０００６】
前記カムコーダは、レンズ装置と、信号変換装置と、撮影された映像を記録／再生するデッキ装置と、表示装置などを備える。このようなかむコーダは、主にカセットテープを記録媒体とし、そのカセットテープをデッキ装置に装着して撮影された動画を記録する。また、カムコーダは、マイク装置とスピーカー装置を具備しており、装着されたカセットテープに１時間以上の撮影が可能である。
【０００７】
このようなカムコーダも静止画を撮影する機能を有しているが、上述したデジタルスチルカメラのに比して画質が低下されるので、主に動画を撮影することに使用される。また、カムコーダはデジタルスチルカメラより多様な機能を有して複雑に構成されるので、サイズが相対的に大きく高価である場合が一般的である。
【０００８】
ところで、上述のように、デジタルスチルカメラとカムコーダの各々の機能を活用するためには二つの製品を全て購入する必要があった。したがって、消費者には経済的に負担があった。また。購入後にも各々の特徴的な機能があるので、二つの製品の全ての機能を必要とする場合には携帯が不便である問題点があった。
【０００９】
このような点を勘案して本出願人は現在広く普及されている、いわゆる、‘ディユオケム’というデジタルスチルカメラとデジタルビデオカメラが一体化された映像撮影装置を出願した事がある。このディユオカムは、デッキを持つ本体と、本体に対して回転自在に設置されるカメラユニット及び本体に設置されるＬＣＤパネルなどを基本構造にして構成されている。前記カメラユニットには、デジタルスチルカメラ用レンズとビデオカメラ用レンズが各々反対側に設置され、カメラユニットを回転させながら撮影モードを選択するように構成されている。
【００１０】
ところが，前記のように構成される映像撮影装置は、カメラユニットとＬＣＤパネルが独立的に形成されているので、映像を撮影するためにカメラユニットを所定姿勢に位置させ、これと別にＬＣＤパネルを位置調整しなければならないなどの不便さが提起されている。
【００１１】
また、カメラユニットを回転させる際、そのカメラユニットと本体の間に指が挟むなどの事故が発生する恐れがあった。
【発明の開示】
【発明が解決しようとする課題】
【００１２】
本発明は、上述したような従来技術の問題点を解決するためになされたもので、その目的は、レンズ部とＬＣＤパネルが一体で動くように構造が改善したフォルダ型画像撮影装置を提供することにある。
【課題を解決するための手段】
【００１３】
前記目的を達成するための本発明によるフォルダ型撮影装置は、保存媒体が装着される本体と、前記本体に第１軸を基準で回転自在に設置され、撮影された画像をディスプレーするディスプレーパネルと、前記第１軸を基準で回転できるように前記ディスプレーパネルと同軸的に設置され、第１及び第２カメラを選択できるように第２軸を基準で回転自在なカメラユニットとを含むことを特徴とする。
【００１４】
好ましくは、前記第１軸は、前記第２軸に対して直交する。
【００１５】
好ましくは、前記カメラユニットと前記ディスプレーパネルを着脱自在に結合させるロッキングユニットをさらに含む。
【００１６】
好ましくは、前記カメラユニットは，前記ディスプレーパネルと独立的に前記第２軸に対して回転自在である。
【００１７】
好ましくは、前記第１カメラは、前記カメラユニットの第１面に形成されて動画を撮影し、前記第２カメラは、前記カメラユニットの第２面に形成されて静止画を撮影する。
【００１８】
前記目的を達成するための本発明の他の側面による撮影装置は、撮影装置に対して回転自在に形成され、第１軸に対して回転し、第１及び第２カメラの間でいずれか１つのカメラを選択するように第２軸に対してさらに回転自在であることを特徴とする。
【００１９】
前記目的を達成するための本発明の他の側面によるフォルダ型撮影装置を提供する方法は、画像を撮影する中撮影モードを変換させることができるフォルダ型撮影装置を提供する方法において、画像撮影装置の本体の上部から第１軸に対して回転自在なカメラユニットとディスプレーユニットを形成する段階と、前記第１軸に対して前記ディスプレーパネルと前記カメラユニットが結合された状態で共に回転できるようにするロッキングユニットを形成する段階と、第１及び第２カメラの間でいずれか１つのカメラを選択するように第２軸に対して回転自在に前記カメラユニットを形成する段階とを含むことを特徴とする。
【００２０】
好ましくは、前記ロッキングユニットをアンロッキングし、前記ディスプレーパネルから所定距離で前記第１軸に対して前記カメラユニットを回転させる段階と、希望する撮影モードに対応する第１または第２カメラが露出されるように前記カメラユニットを前記第２軸に対して回転させる段階とを含む。
【００２１】
好ましくは、前記第１軸は、前記第２軸に対して直交する。
【００２２】
好ましくは、前記第１カメラは、動画を撮影するように前記カメラユニットの第１面から露出され、前記第２カメラは、静止画を撮影するように前記カメラユニットの第２面から露出される。
【００２３】
前記目的を達成するための本発明の他の側面による撮影モード変更方法は，フォルダ型撮影装置の撮影モード変更方法において、前記撮影装置から所定距離で第１軸に対してカメラユニットを回転させる段階と、希望する撮影モードに対応する第１または第２カメラが露出されるように第２軸に対して前記カメラユニットを回転させる段階とを含むことを特徴とする。
【発明の効果】
【００２４】
本発明によるフォルダ型画像撮影装置は、カメラユニットとディスプレーパネルが重なった状態で共に回転自在であるフォルダタイプである。
【００２５】
したがって、カメラユニット及びディスプレーパネルの姿勢変換による動作が容易で、小型化及びスリム化が可能となる。
【００２６】
また、カメラユニットがディスプレーパネルに対して独立的に２個の軸を中心で回転自在に設置されることにより、撮影者の姿勢とは関係なく多様な角度の画像を容易に撮影できる利点がある。
【発明を実施するための最良の形態】
【００２７】
以下、添付の図面を参照して本発明の実施例によるフォルダ型画像撮影装置について詳しく説明する。
【実施例１】
【００２８】
図１〜図３は、本発明の実施例に係るフォルダ型画像撮影装置を示す斜視図である。
図１を参照すると、本発明の実施例に係るフォルダ型画像撮影装置は、保存媒体が装着される本体１０と、前記本体１０の一面を開閉するように設置されるディスプレーパネル２０と、前記ディスプレーパネル２０に重なった状態で動き可能なカメラユニット３０とを具備する。
【００２９】
前記本体１０には、上面に前記ディスプレーパネル２０が安着されるように引入形成された安着部１１が形成される。前記安着部１１には、各種機能を操作するための複数の操作キー１１ａが形成される。図面符号１１ｂは、ズーム（ｚｏｏｍ）動作のためのノブを示す。また、本体１０の側面には、メモリーステッキ４０が装着されるメモリーステッキ装着部１２が形成される。
【００３０】
また、図２を参照すると、前記本体１０の背面には、バッテリー５０が安着されるバッテリー装着部１４が引入形成される。そして、前記本体１０の背面には、動画を含んだ画像を記録するためのビデオテープカセット６０が装着されるデッキ装置１５が出没可能に設置される。ここで、前記デッキ装置１５の構成は、一般的なカムコーダなどを通じて知られた公知の技術なので詳しい説明は省略する。
【００３１】
また、前記本体１０の一側には一体の軸部１６、１７が同軸的に固定されている。この軸部１６、１７は互いに所定間隔が離隔されるように本体１０に固定される。前記軸部１６、１７の互いに対向しない端部には前記ディスプレーパネル２０が回転自在に連結される。したがって、各軸部１６、１７の両端には前記ディスプレーパネル２０が回転自在に結合される支持軸１６ａが形成される。
【００３２】
前記ディスプレーパネル２０は、前記支持軸１６ａに回転自在に支持されるパネル基体２１と、前記パネル基体２１の一面に設置されて撮影された画像をディスプレーするＬＣＤ２３を具備する。前記ＬＣＤ２３が本体１０の上面、即ち、前記安着部１１に対向するようにパネル基体２１の一面に形成される。前記ディスプレーパネル２０は、前記安着部１１を覆うように位置されるか、図示されるように、前記本体１０の上面に対して所定角度の姿勢を維持するように回転自在になる．それのため、前記パネル基体２１の一側には一体の軸部２１ａが形成される．前記軸部２１ａが支持軸１６ａに結合されて回転自在になる。
【００３３】
図１及び図３を参照すると、前記カメラユニット３０は、前記ディスプレーパネル２０と重なった状態で共に回転自在に設置される。前記カメラユニット３０は、ユニット本体３１の第１面３１ａに露出形成される第１カメラ部３２と、前記第１面３１ａに対向する第２面３１ｂに露出形成される第２カメラ部３３とを有する。前記第１カメラ部３２は、動画を含んだ画像を撮影するデジタルビデオカメラ用カメラ部で、前記第２カメラ部３３は、静止画を撮影するためのデジタルスチルカメラ用カメラ部である。各カメラ部３２、３３は、互いに反対方向を向けるように配置され、いずれか１つだけ選択的に駆動できる。
【００３４】
また、前記カメラユニット３０は、前記ディスプレーパネル２０の回転中心と同軸的に結合される第１軸部３５と、前記第１軸部３５の軸方向に対して直交する方向で設置される第２軸部３６を有する。前記第１軸部３５は、前記本体１０の軸部１６、１７の間に回転自在に介在される。このように、第１軸部３５及び第２軸部３６によりカメラユニット３０は互いに直交する各々の２個の軸に対して回転自在な状態になる。即ち、前記カメラユニット３０は、第１軸部３５を中心で前記ディスプレーパネル２０と共に同一な方向への回転が可能である。
【００３５】
図４は、図１の状態でカメラユニットが第２軸を中心で回転した状態を示す斜視図である。
【００３６】
図４に図示されるように、カメラユニット３０は、第２軸部３６を中心で回転することによりディスプレーパネル２０に対して独立的に回転するようになる。したがって、前記カメラユニット３０の第１及び第２カメラ部３２、３３の方向を変えて撮影方向及び撮影モードを変更することができるようになる。ここで、前記第１及び第２軸部３５、３６の技術構成は一般的な公知の技術なので詳しい説明は省略する。
【００３７】
図５Ａは、図１のディスプレーパネルに形成されたロッキングフックを抜粹して示す図、図５Ｂは、図１のカメラユニットに形成されたロッキング溝を抜粹して示す図である。
【００３８】
また、前記カメラユニット３０がディスプレーパネル２０と共に一体になって回転できるようにカメラユニット３０とディスプレーパネル２０を結合するロッキングユニット７０を具備する。前記ロッキングユニット７０は、前記ディスプレーパネル２０の一側縁部に設置されるフック部材７１と、前記フック部材７１に対応するように前記カメラユニット３０の外側に形成されるロッキング溝７３を具備する。
【００３９】
前記フック部材７１は、図５Ａに図示されるように、ディスプレーパネル２０のパネル基体２１の側面に回動可能に設置される。このフック部材７１は、フック突起７１ａを具備して前記ロッキング溝７３にロッキング結合される。
【００４０】
図５Ｂに図示されるように、前記ロッキング溝７３は、好ましくは、一体がカメラユニット３０の外側面に形成される。即ち、カメラユニット３０の回転状態、即ち、カメラユニット３０の第１面３１ａと第２面３１ｂの中でいずれの一面がディスプレーパネル２０と対向して重なっても、互いにロッキング結合できるようにした一体のロッキング溝７３が形成される。また、各々のロッキング溝７３は、ユニット本体３１の第１及び第２面３１ａ、３１ｂで同一な距離に位置するようになる。
【００４１】
前記のように構成される本発明の実施例によるフォルダ型画像撮影装置の使用動作について説明すると次のようである。
【００４２】
図６は、カメラユニットとディスプレーパネルが重なって状態で本体に安着された状態を示す斜視図、図７は、図６の状態でディスプレーパネルとカメラユニットが回転された状態を示す斜視図である。
【００４３】
まず、図６を参照すると、前記本体１０の上面に形成された安着部１１にディスプレーパネル２０が安着されて前記本体１０の上部を覆った状態である。また、前記ディスプレーパネル２０の上部にカメラユニット３０が重なって共に本体１０の上部を覆っている。
【００４４】
前記状態で、映像を撮影するためには、まず、図７に図示されるように、前記ディスプレーパネル２０と前記カメラユニット３０を共に回転させて本体１０の上面から離隔させる。この場合、前記ロッキングユニット７０によりカメラユニット３０とディスプレーパネル２０が結合された状態であるので、共に回転することができる。
【００４５】
前記状態で、使用者は前記本体１０上の操作キー１１ａと前記ノブ１１ｂを利用して映像を撮影することができるようになる。即ち、一手で本体１０を取ってディスプレーパネル２０を通じて撮影される画像を見ながら撮影するようになる。
【００４６】
このように画像を撮影する中、撮影ボードを変えたい時、即ち、動画を撮影している中、デジタルスチル映像を撮影しようとする場合、又は、その反対の場合、図１に図示されるように、ロッキングユニット７０を解除させてディスプレーパネル２０からカメラユニット３０を所定角度で離隔させる。
【００４７】
その後、図４に図示されるように、前記カメラユニット３０を１８０°角度で回転させて希望する撮影モードに対応するカメラ部が外部へ露出されるように位置させる。その後、再度ディスプレーパネル２０とカメラユニット３０をロッキングさせた状態で画像を撮影する。
【００４８】
以上、説明したように、ディスプレーパネル２０とカメラユニット３０をフォルダ型で形成することにより、操作が簡単で構成がシンプルな利点がある。また、製品の小型化及びスリム化が可能になって次世代デジタル電子製品として要求されるデザイン上の簡潔さと便利性などを具現することができるようになる。
【００４９】
一方、図４に図示されるように、カメラユニット３０がディスプレーパネル２０から分離されて第２軸部３６を中心で所定角度が回転された状態でも画像を撮影することができるようにモードを設定することもできる。この場合、使用者の姿勢や手の姿勢を変えなくて多様な角度の画像を自然に撮影できるようになる。
【産業上の利用可能性】
【００５０】
本発明のフォルダ型画像撮影装置は、ＬＣＤパネルを有すると共に静止画と動画の中で少なくともいずれか１つを撮影することができる器機、例えば、デジタルスチルカメラ、デジタルビデオカメラ、デジタルスチル／ビデオカメラ、ディユオカムなどのような電子製品に適用可能である。特に、保存媒体としてハードディスクやメモリーステッキなどを使う製品に適用可能になる。
【図面の簡単な説明】
【００５１】
【図１】本発明の実施例によるフォルダ型画像撮影装置を示す斜視図である。
【図２】本発明の実施例によるフォルダ型画像撮影装置を示す斜視図である。
【図３】本発明の実施例によるフォルダ型画像撮影装置を示す斜視図である。
【図４】図１の状態でカメラユニットが第２軸を中心で回転された状態を示す斜視図である。
【図５Ａ】図１のディスプレーパネルに形成されたロッキングフックを抜粹して示す図である。
【図５Ｂ】図１のカメラユニットに形成されたロッキング溝を抜粹して示す図である。
【図６】カメラユニットとディスプレーパネルが重なった状態で本体に安着された状態を示す斜視図である。
【図７】図６の状態でディスプレーパネルとカメラユニットが回転された状態を示す斜視図である。
【符号の説明】
【００５２】
１０    本体
２０    ディスプレーパネル
３０    カメラユニット
４０    メモリーステッキ
５０    バッテリー
６０    テープカセット
【図１】
2005045766.tif 000003
【図２】
2005045766.tif 000004
【図３】
2005045766.tif 000005
【図４】
2005045766.tif 000006
【図５Ａ】
2005045766.tif 000007
【図５Ｂ】
2005045766.tif 000008
【図６】
2005045766.tif 000009
【図７】
2005045766.tif 000010